(57)【要約】【課題】キャビネットの配置の自由度を向上できるキャビネット及びトイレユニット提供すること。【解決手段】キャビネット１０は、扉１２，１３を開扉する場合に同方向にスライド移動するように構成したので、反スライド方向にトイレＴのコーナー部を設けることができる。さらに、２つの扉１２，１３のうち、一方の扉１３を、キャビネット本体１１の横方向のみにスライド移動するように構成したので、扉１３が開閉動作する際にその扉１３がキャビネット本体１１の前面側に突出しない。よって、キャビネット１０を便器装置Ｓの側方に配置しても、便器装置Ｓの側方に配置される給水装置Ｓ１等に干渉しないので、キャビネット１０の配置の自由度を向上できる。【選択図】図３
2010125062.tif 000002
【特許請求の範囲】
【請求項１】
略箱状に形成され前面側に開口部を有するキャビネット本体と、そのキャビネット本体の開口部を覆うように前記キャビネット本体の横方向に並設される第１及び第２扉とを備えたキャビネットにおいて、
前記第１及び第２扉は、前記キャビネット本体に対して閉扉された状態で前面側がほぼ面一に並設されており、
前記第１扉は、前記第２扉から離反する方向で且つ前記キャビネット本体に対して横方向にスライド移動して開扉され、
前記第２扉は、前記第１扉が開扉された状態で、その第１扉があった横方向にスライド移動して開扉されることを特徴とするキャビネット。
【請求項２】
前記キャビネット本体の天井壁および底壁にそれぞれ設けられ、前記キャビネット本体の横方向に前記第２扉をスライド移動可能に構成するレール部材と、
前記第１扉の裏側面と、前記キャビネット本体の前記第１扉側の側壁とを連結し、前記第１扉を前記キャビネット本体に対して前記前面側にスイングしつつ前記第２扉から離反する横方向にスライド移動可能に構成する連結部材と、
前記キャビネット本体の上下方向において前記キャビネット本体の底壁に設けられる前記レール部材より更に下方に取り付けられ、前記第１扉が前記第２扉から離反する横方向にスライド移動する範囲を規制する規制部材とを備えていることを特徴とする請求項１記載のキャビネット。
【請求項３】
請求項１又は２に記載されるキャビネットと、便器装置とを備えたトイレユニットにおいて、
前記キャビネットは、前記第１及び第２扉のスライド移動方向が前記便器装置の前奥方向とほぼ並行になるように配置され、前記便器装置の奥方に前記第２扉が位置すると共に前記便器装置の前方に前記第１扉が位置するものであることを特徴とするトイレユニット。
【発明の詳細な説明】
【技術分野】
【０００１】
本発明は、キャビネット及びトイレユニットに関し、特に、キャビネットの配置の自由度を向上できるキャビネット及びトイレユニットに関するものである。
【背景技術】
【０００２】
特開２００６−１４１６３７号公報（以下「特許文献１」と称す）には、略箱状に形成されるキャビネット本体の開口部が、そのキャビネット本体の横方向に並設される２つの扉により覆われたキャビネットが開示されている。このキャビネットは、２つの扉のうち一方の扉を開扉する場合、その開扉する扉を他方の扉の前面側にスイングしつつ横方向にスライド移動するように構成されている。よって、特許文献１のキャビネットでは、２つの扉がスライド移動する動作範囲がキャビネット本体の横幅内に収まり、キャビネットの側方外方への干渉を考慮しなくて済むので、キャビネットの配置の自由度を増すことができる。  
【特許文献１】特開２００６−１４１６３７号公報
【発明の開示】
【発明が解決しようとする課題】
【０００３】
しかしながら、特許文献１のキャビネットでは、一方の扉が他方の扉の前面側にスイングしつつ横方向にスライド移動するので、一方の扉を開扉した状態では、その扉が他方の扉に重なった状態になり、キャビネットの前面側の領域に突出した状態になる。即ち、特許文献１のキャビネットは、各扉の前面側に扉の可動領域が必要になるので、狭い室内における配置の自由度が低下するという問題点があった。特に、狭い室内であるトイレ内の便器装置の側方には、便器装置の横から突出する水道管などに扉が干渉するので配置できなかった。
【０００４】
本発明は、上述した問題点を解決するためになされたものであり、キャビネットの配置の自由度を向上できるキャビネット及びトイレユニット提供することを目的としている。
【課題を解決するための手段】
【０００５】
この目的を達成するために請求項１記載のキャビネットは、略箱状に形成され前面側に開口部を有するキャビネット本体と、そのキャビネット本体の開口部を覆うように前記キャビネット本体の横方向に並設される第１及び第２扉とを備えており、前記第１及び第２扉は、前記キャビネット本体に対して閉扉された状態で前面側がほぼ面一に並設されており、前記第１扉は、前記第２扉から離反する方向で且つ前記キャビネット本体に対して横方向にスライド移動して開扉され、前記第２扉は、前記第１扉が開扉された状態で、その第１扉があった横方向にスライド移動して開扉される。
【０００６】
請求項２記載のキャビネットは、請求項１記載のキャビネットにおいて、前記キャビネット本体の天井壁および底壁にそれぞれ設けられ、前記キャビネット本体の横方向に前記第２扉をスライド移動可能に構成するレール部材と、前記第１扉の裏側面と、前記キャビネット本体の前記第１扉側の側壁とを連結し、前記第１扉を前記キャビネット本体に対して前記前面側にスイングしつつ前記第２扉から離反する横方向にスライド移動可能に構成する連結部材と、前記キャビネット本体の上下方向において前記キャビネット本体の底壁に設けられる前記レール部材より更に下方に取り付けられ、前記第１扉が前記第２扉から離反する横方向にスライド移動する範囲を規制する規制部材とを備えている。
【０００７】
請求項３記載のトイレユニットは、請求項１又は２に記載されるキャビネットと、便器装置とを備えており、前記キャビネットは、前記第１及び第２扉のスライド移動方向が前記便器装置の前奥方向とほぼ並行になるように配置され、前記便器装置の奥方に前記第２扉が位置すると共に前記便器装置の前方に前記第１扉が位置するものである。
【発明の効果】
【０００８】
請求項１記載のキャビネットによれば、略箱状に形成されるキャビネット本体の前面側の開口部は、キャビネット本体の横方向に並設される第１及び第２扉により覆われており、第１扉は、第２扉から離反する方向で且つキャビネット本体に対して横方向にスライド移動して開扉され、第２扉は、第１扉が開扉された状態で、その第１扉があった横方向にスライド移動して第１扉が閉扉される。よって、キャビネットは、少なくとも第２扉がキャビネット本体の横方向にスライド移動して開扉されるので、第２扉の前面側に便器装置等の他の装置を配置しても、第２扉の開扉動作により第２扉が他の装置に干渉することがない。従って、狭い室内において便器装置等の他の装置の側方にキャビネットを配置可能になるので、キャビネットの配置の自由度を向上できるという効果がある。
【０００９】
また、第１及び第２扉は、同方向にスライド移動して開扉されるので、反スライド方向に室内のコーナー部を設けたり、他のキャビネット等を配置することができる。よって、キャビネットの横方向に対する配置の自由度も充分に向上できるという効果がある。
【００１０】
また、第１及び第２扉は、キャビネット本体に対して閉扉された状態で前面側がほぼ面一に並設されているので、キャビネットの奥行き方向の幅を扉一枚分は薄くできる。よって、キャビネットを奥行き方向に対してコンパクト設計できるので、キャビネットの奥行き方向に対する配置の自由度も充分に向上できるという効果がある。
【００１１】
請求項２記載のキャビネットによれば、請求項１記載のキャビネットの奏する効果に加え、第１扉の裏側面と、キャビネット本体の第１扉側の側壁とが、第１扉をスライド移動可能に構成する連結部材により連結され、キャビネット本体の底壁のレール部材より更に下方に、第１扉のスライド移動する範囲を規制する規制部材が取り付けられている。よって、第１扉が開扉された状態では、連結部材が第１扉の裏側面およびキャビネット本体の側壁に沿った位置にあり、規制部材が底壁より更に下方に位置するので、収納物の出し入れを行う際に、連結部材や規制部材が邪魔にならない。従って、収納物の出し入れをし易くできるという効果がある。
【００１２】
また、規制部材が上下のレール部材間に取り付けられていると、第２扉をスライド移動する際に、その第２扉の移動経路内に規制部材が位置して邪魔になるので、第２扉の移動範囲（即ち、キャビネット本体の開口部の開口される範囲）が狭くなるが、規制部材は、底壁のレール部材より更に下方に取り付けられているので、その規制部材が邪魔にならず、第２扉の移動範囲を広くできる。よって、第２扉が開扉された状態で、キャビネット本体の開口部の開口範囲を広くできるので、第２扉の収納物の出し入れもし易くなるという効果がある。
【００１３】
また、規制部材は、キャビネット本体の底壁のレール部材より更に下方に取り付けられるので、キャビネット本体の天井壁の上方には障害物がなくなる。よって、キャビネット本体の天井壁の上面に物を載置可能になるので、キャビネット本体の天井壁を物置として利用できるという効果もある。
【００１４】
請求項３記載のトイレユニットによれば、請求項１又は２に記載のキャビネットが奏する効果と同様の効果を奏することに加え、次の効果を奏する。即ち、請求項１又２に記載のキャビネットは、第１及び第２扉のスライド移動方向が便器装置の前奥方向とほぼ並行になるように配置され、便器装置の奥方に第２扉が位置すると共に便器装置の前方に第１扉が位置する。一般に、便器装置の水道管は、美的観点から使用者の視界に入り辛い場所、即ち、便器装置の奥方に配置されるが、その水道管に対向する位置に第２扉が位置し、その第２扉は横方向にのみスライド移動するので、便器装置の側方にキャビネットを配置可能になり、便器装置が配置されるトイレ内におけるキャビネットの配置の自由度を向上できるという効果がある。
【発明を実施するための最良の形態】
【００１５】
以下、本発明の好ましい実施形態について、添付図面を参照して説明する。図１は、本発明の一実施形態のキャビネット１０が配置されたトイレＴの全体を示した斜視図である。なお、図１において、矢印Ｘは、キャビネット１０の左右方向（便器装置Ｓの前奥方向）を示しており、矢印Ｙは、キャビネット１０の奥行き方向（便器装置Ｓの左右方向）を示しており、矢印Ｚは、キャビネット１０（便器装置Ｓ）の上下方向を示している。
【００１６】
図１に示すように、トイレＴは、床面Ｆと、４つの壁面Ｗ（２つの壁面Ｗは図示せず）と、天井面（図示せず）とにより囲まれた空間である。なお、以下の説明では、４つの壁面Ｗのうち、便器装置Ｓの奥方の壁面を壁面Ｗ１とし、便器装置Ｓの側方の壁面をＷ２として説明する。
【００１７】
トイレＴ内には、主に、壁面Ｗ２に奥壁が隣接し且つ、壁面Ｗ１及び壁面Ｗ２により形成されるコーナー部から反壁面Ｗ１方向（矢印Ｘ方向の右手前側）に沿って収納棚Ｒが配設され、壁面Ｗ１に奥端が隣接し且つ、トイレＴの左右方向（矢印Ｙ方向）におけるほぼ中央に便器装置Ｓが配設されている。
【００１８】
収納棚Ｒは、並設される２枚の扉（扉１２，１３（図２参照））により前面が覆われたキャビネット１０と、トイレットペーパーの装着部を有すると共に１枚の扉で収納部の前面が覆われた中央収納部２０と、上部に手洗器を有すると共に内部に水道管および配水管等が設けられた手洗い部３０とを有して構成されている。
【００１９】
次に、図２及び図３を参照して、キャビネット１０の構造、及び、扉１２，１３の開閉動作について説明する。図２（ａ）は、キャビネット１０の全体を示した斜視図であり、図２（ｂ）は、上側レール１６の一部を拡大して示した斜視図である。図３は、キャビネット１０に取り付けられる扉１２，１３の開扉動作を示した斜視図である。
【００２０】
図２（ａ）に示すように、キャビネット１０は、主に、略箱状に形成されるキャビネット本体１１と、そのキャビネット本体１１の前面側（矢印Ｙ方向の左手前側）の開口部１１ｆを覆うと共にキャビネット本体１１の横方向（矢印Ｘ方向）に並設される扉１２，１３と、扉１２をキャビネット本体１１に対して前面側にスイングしつつ横方向にスライド移動可能に連結する連結金具１４と、扉１２のスライド移動を規制する規制金具１５と、扉１３を横方向にスライド移動可能に構成する上側レール１６及び下側レール１７とを有して構成されている。
【００２１】
キャビネット本体１１は、壁面Ｗ１に隣接する側壁１１ａと、その側壁１１ａに対向配置される側壁１１ｂと、天井壁１１ｃと、底壁１１ｄと、奥壁１１ｅ（図示せず）とにより略箱状に形成されている。キャビネット本体１１は、側壁１１ａ，１１ｂ、天井壁１１ｃ、底壁１１ｄ及び奥壁１１ｅによって略箱状に形成され、前面側が開口部１１ｆにより開口されている。なお、キャビネット本体１１の底壁１１ｄには、足部１１ｇが取り付けられおり、その足部１１ｇを介してキャビネット１０が床面Ｆに配設される。
【００２２】
扉１２，１３は、閉扉された状態（図２（ａ）の状態）で、前面側（矢印Ｙ方向の左手前側）がほぼ面一になるように並設されている。よって、キャビネット１０の奥行き方向（矢印Ｙ方向）の幅を、少なくとも扉一枚分は薄くできるので、キャビネット１０をコンパクト設計できる。
【００２３】
また、扉１２には、その上部右側に扉１２を開閉動作する場合に摘まれる取っ手１２ａが取り付けられている。ここで、取っ手１２ａが扉１２の上部右側以外に取り付けられている場合に、便器装置Ｓ（図１参照）に着座した使用者が取っ手１２ａを摘み操作する場合について説明する。例えば、取っ手１２ａが扉１２の上下方向中段に取り付けられていると、取っ手１２ａが使用者の腰辺りに位置するので、使用者は前屈みになり窮屈な姿勢での操作になるし、取っ手１２ａが扉１２の上段左側に取り付けられ使用者の肩の位置に取っ手１２ａが位置する場合でも、取っ手１２ａが使用者側に向かって動作するので腕が窮屈になり、扉１２の開閉動作の操作性が低下する。しかし、本実施形態では、取っ手１２ａを扉１２の上部右側に取り付けているので、窮屈な姿勢にならず腕も窮屈にならない状態で扉１２を操作することができ、扉１２の開閉動作の操作性を向上できる。
【００２４】
一方、扉１３には、その上部左側に取っ手１３ａが取り付けられている。後述するが、扉１３は、扉１２が横方向（矢印Ｚ方向の右手前側）にスライド移動した状態で操作されるので、例えば、取っ手１３ａが扉１３の右側に取り付けられていると、取っ手１３ａを使用者が摘み扉１３を開閉動作する際に、扉１２に手が当たったり、扉１２が邪魔になり取っ手１３ａが摘み難い等の弊害が生じる。しかし、本実施形態では、取っ手１３ａを扉１３の上部左側に取り付けているので、上記弊害の発生を抑制でき、扉１３の開閉動作の操作性を向上できる。
【００２５】
連結金具１４は、キャビネット本体１１の側壁１１ｂの内壁に取り付けられるベース部１４ａと、扉１２の裏面側に連結される連結部１４ｂと、その連結部１４ｂとベース部１４ａとを連結するフレーム部１４ｃとを有して構成されている。フレーム部１４ｃは、ベース部１４ａに対して回転可能に軸支されると共に、連結部１４ｂに対して回転可能に軸支されている。
【００２６】
規制金具１５は、扉１２の下端部に一端が取り付けられると共に、キャビネット本体１１の底壁１１ｂより下方の足部１１ｇに他端が取り付けられている。なお、足部１１ｇに取り付けられる規制金具１５の他端は、扉１２の左右方向（矢印Ｘ方向）の略中央に対応する位置に取り付けられている。この規制金具１５の長さによって、扉１２のスライド移動（即ち、扉１２が開扉される範囲）が規制される。
【００２７】
なお、図２（ａ）に示すように、規制金具１５は、キャビネット１０の上下方向（矢印Ｚ方向）において、底壁１１ｄより下方、即ち、底壁１１ｄに取り付けられる下側レール１７より更に下方に取り付けられている。
【００２８】
また、扉１２は、規制金具１５によって、開扉動作する場合に必要以上に扉１２が開いてしまうことが規制されるので、連結金具１４のフレーム部１４ｃとキャビネット本体１１の側壁１１ｂとが勢い良く衝突して、キャビネット本体１１が破損してしまうことを抑制できる。
【００２９】
上側レール１６は、キャビネット本体１１の天井壁１１ｃの下側面（キャビネット本体１１の内面）に設けられ、下側レール１７は、底壁１１ｄの下側面（キャビネット本体１１の外面）に設けられており、各レール１６，１７の左右方向（矢印Ｘ方向）の横幅は、天井壁１１ｃ及び底壁１１ｄの横幅（矢印Ｘ方向のキャビネット本体１１の横幅）のほぼ全域に設けられている。よって、扉１３は、各レール１６，１７によって滑動可能になり、キャビネット１０の左右方向全域をスライド移動することができる。
【００３０】
なお、各レール１６，１７は、天井壁１１ｃ及び底壁１１ｄの下面側に設けられているので、使用者が視認し難くなり、特に、下側レール１７は、底壁１１ｄの下面側に設けられるので、使用者は全く視認できない。よって、各レール１６，１７は、使用者により視認され難い位置に設けられているので、キャビネット１０の見栄えを向上できる。
【００３１】
また、図２（ｂ）に示すように、上側レール１６内の端部には、ストッパ部材１６ａが固着されている。このストッパ部材１６ａは、扉１３を扉１２方向（矢印Ｘ方向の右手前側）にスライド移動した場合に、扉１３を必要以上にスライド移動させないために設けられている。よって、扉１３が必要以上にスライド移動して、連結金具１４に衝突することを防止できるので、連結金具１４および扉１３が破損することを抑制できる。なお、図示は省略するが、下側レール１７にも、上側レール１６と同様に、ストッパ部材１７ａが設けられている。
【００３２】
次に、扉１２，１３の開扉動作について説明する。
【００３３】
図３（ａ）に示すように、キャビネット１０の扉１２を開扉する場合には、まず、取っ手１２ａを前面側に引きつつ横方向に引っ張ることで、扉１２が前面側にスイングしつつ横方向（矢印Ｘ方向の右手前側）へスライド移動し、扉１２が開扉される。扉１２は、図３（ａ）の太矢印で示すように動作する。
【００３４】
図３（ａ）に示すように、扉１２が開扉された状態になると、連結金具１４の連結部１４ｂ及びフレーム部１４ｃは、扉１２の裏側に位置すると共にベース部１４ａが側壁１１ｂに沿った位置にあるので、収納物を前面側（矢印Ｙ方向の左手前側）から取り出そうとする際に邪魔にならない。また、規制金具１５は、キャビネット本体１１の底壁１１ｄ（図２参照）より下方に位置しているので、収納物を前面側から取り出そうとする際に邪魔にならない。よって、扉１２の奥側の収納物を出し入れする際に邪魔となるものが無いので、収納物の出し入れに対する使い勝手を向上できる。
【００３５】
また、規制金具１５が、キャビネット本体１１の下方の足部１１ｇに取り付けられているので、キャビネット本体１１の天井壁１１ｃの上方には障害物が存在しない。よって、キャビネット本体１１の天井壁１１ｃの上面に物を置けるので、キャビネット１０（収納棚Ｒ）の上面を物置として使用することができる。
【００３６】
図３（ｂ）に示すように、扉１３を開扉する場合には、取っ手１３ａを扉１２方向に引っ張ることで、扉１３が各レール１６，１７を滑動することによって横方向（矢印Ｘ方向の右手前側）にスライド移動し、扉１２が閉扉されていた領域に移動して扉１３が開扉される。扉１３は、図３（ｂ）の太矢印で示すように動作する。
【００３７】
ここで、例えば、規制金具１５がキャビネット１０の上下方向において各レール１６，１７間に取り付けられていると、扉１３をスライド移動する際に、その扉１３の移動経路内に規制金具１５が位置して邪魔になるので、キャビネット本体１１の開口部１１ｆの開口範囲が狭くなる。しかし、本実施形態では、規制金具１５が下側レール１７より更に下方に取り付けられるので、その規制金具１５が邪魔にならない。その結果、扉１２のスライド移動する範囲が広くなるので、開口部１１ｆの開口範囲を広くできる（図３（ｂ）の状態）。よって、扉１３が開かれた状態で、前面側から収納物の出し入れがし易くなるので、収納物の出し入れに対する使い勝手を向上できる。さらに、規制金具１５は、下側レール１７より更に下方に取り付けられ、扉１２の下端部と足部１１ｇとを連結するものなので、その規制金具１５を使用者が視認し難くなり、キャビネット１０の見栄えを向上できる。
【００３８】
なお、扉１２，１３を閉扉する場合には、開扉動作の反対の手順で行われ、扉１３を反扉１２方向へスライド移動させた後に、扉１２を扉１３方向にスイングしつつ扉１３側にスライド移動させることで行われる。
【００３９】
次に、図４を参照して、便器装置Ｓと収納棚Ｒ（特に、キャビネット１０）との配置の位置関係について説明する。図４は、便器装置Ｓと収納棚Ｒとの位置関係を概略的に示した平面図である。
【００４０】
図４（ａ）は、キャビネット１０に取り付けられる扉のうち、スイングしつつスライド移動する扉１２が壁面Ｗ１側に隣接して位置するように収納棚Ｒが配置された場合の一例であり、図４（ｂ）は、本実施形態のように、壁面Ｗ１側には扉１３が位置し、その扉１３の隣りに扉１２が位置するように収納棚Ｒが配置された場合の一例である。
【００４１】
図４（ａ）に示すように、便器装置Ｓには、水を貯留したり吐水したりするので、水を供給するための水道管などからなる給水装置Ｓ１が取り付けられている。この給水装置Ｓ１は、美的観点から使用者の視界に入り辛い場所、即ち、便器装置Ｓの奥方（壁面Ｗ１に接する位置）で且つ下方（床面Ｆに接する位置）に配置されている。
【００４２】
図４（ａ）に示すように、スイングしつつスライド移動する扉１２が壁面Ｗ１に隣接する位置に配置されていると、扉１２と給水装置Ｓ１との衝突を避けるために、扉１２のスイング移動する揺動範囲（二点鎖線で示した経路）外に給水装置Ｓ１を位置しないといけない。つまり、便器装置Ｓ自体を壁面Ｗ２から離れた位置に配置しなければならない。よって、便器装置Ｓは、壁面Ｗ２に対向する壁面に隣接してしまうので、便器装置Ｓの使用者は圧迫感を受けたり、着座し難いので、便器装置Ｓに対する使い勝手が非常に悪くなってしまう。さらに、扉１２は、便器装置Ｓの奥方から使用者側に開扉動作するので、使用者の腕が窮屈になると共に扉１２の開扉動作の操作が困難になり、キャビネットの使い勝手も悪くなってしまう。
【００４３】
しかしながら、図４（ｂ）に示すように、壁面Ｗ１側には扉１３が位置し、その扉１３の隣りに扉１２が位置する場合、給水装置Ｓ１に対向配置される扉１３は横方向にスライド移動するだけであり、扉１２がスイングしつつスライド移動する揺動範囲とは無関係になる。よって、便器装置Ｓと収納棚Ｒとの間を必要以上に開ける必要がないので、トイレＴの領域を有効に利用できるし、便器装置Ｓの使用者が圧迫感を感じることもないし、着座し難くもなく、便器装置Ｓに対する使い勝手を向上できる。
【００４４】
以上説明したように、本実施形態のキャビネット１０は、扉１２，１３を開扉する場合に同方向にスライド移動するように構成したので、反スライド方向にトイレＴのコーナー部を設けることができる。さらに、２つの扉１２，１３のうち、一方の扉１３を、キャビネット本体１１の横方向のみにスライド移動するように構成したので、扉１３の開閉動作の際にその扉１３がキャビネット本体１１の前面側に突出しない。よって、キャビネット１０を便器装置Ｓの側方に配置しても、便器装置Ｓの給水装置Ｓ１に干渉しないので、キャビネット１０の配置の自由度を充分に確保できるし、トイレＴの狭い空間内を有効に利用できる。
【００４５】
なお、扉１２，１３を開扉する場合に同方向にスライド移動するように構成したことで、扉１２，１３の反スライド方向に他のキャビネット等も設けることができるので、収納棚Ｒの組み合わせの自由度も増すことができる。
【００４６】
また、扉１２を開扉動作する場合には、便器装置Ｓに着座した使用者から扉１２が離れる方向にスライド移動し、扉１３の開扉動作は、横方向のみにスライド移動するので、扉１２，１３が使用者側に向かって動作しないので、扉１２，１３の開扉動作の操作が困難になることを抑制できる。つまり、使用者が扉１２，１３の開扉動作を行う場合に腕が窮屈になり操作が困難になることを抑制できる。
【００４７】
以上、実施形態に基づき本発明を説明したが、本発明は上述した実施の形態になんら限定されるものではなく、本発明の趣旨を逸脱しない範囲内で種々の改良変更が可能であることは容易に推察できるものである。
【００４８】
例えば、上記実施形態では、キャビネット１０をトイレＴ内に配置するものとしたが、キャビネット１０を洗面台の下方に配置しても良いし、キッチンの下方および上方に配置するものとしても良い。キャビネット１０は、洗面台やキッチンに使用したとしても、扉１２，１３のスライド移動が同方向になり、コーナー部に配置可能な構成になるので、キャビネット１０の配置の自由度を確保できる。
【００４９】
また、上記実施形態では、キャビネット１０の扉１２を、キャビネット本体１１の前面側にスイングしつつ扉１３から離反する方向にスライド移動するように構成したが、扉１２は、スイングせずに、そのまま、扉１３から離反する方向にスライド移動するように構成しても良い。この構成では、キャビネット１０の前面側に扉１２，１３が開扉するための領域が不要になるので、キャビネット１０と便器装置Ｓとの間の距離を更に短くでき、トイレＴの空間を有効に利用できる。なお、扉１２がスイングせずに横方向にスライド移動する場合には、キャビネット１０の扉１２側の側方に他のキャビネット等を配置しない、又は、他のキャビネットの前面が扉１２の厚み分奥側に位置するように構成する。
【図面の簡単な説明】
【００５０】
【図１】本発明の一実施形態のキャビネットが配置されたトイレの全体を示した斜視図である。
【図２】（ａ）は、キャビネットの全体を示した斜視図であり、（ｂ）は、上側レールの一部を拡大して示した斜視図である。
【図３】キャビネットに取り付けられる扉の開扉動作を示した斜視図である。
【図４】便器装置と収納棚との位置関係を概略的に示した平面図である。
【符号の説明】
【００５１】
１０          キャビネット（トイレユニットの一部）
１１          キャビネット本体
１１ｆ        開口部
１２          扉（第１扉）
１３          扉（第２扉）
１４          連結金具（連結部材）
１５          規制金具（規制部材）
１６          上側レール（レール部材の一部）
１７          下側レール部材（レール部材の一部）
Ｒ            収納棚
Ｓ            便器装置（トイレユニットの一部）
Ｔ            トイレ
【図１】
2010125062.tif 000003
【図２】
2010125062.tif 000004
【図３】
2010125062.tif 000005
【図４】
2010125062.tif 000006